(57)【要約】【課題】送風機などの汚濁空気導入手段への負担が大きい。【解決手段】送風ファン２の羽根３、３ａ…の表面に光触媒をコーティングすると共に、かかる光触媒面４、４ａ…への光照射光手段６、６ａ…を送風ファン２の収容空間５内に設ける。上流側の汚濁空気の殆ど全てが送風ファン２の羽根３、３ａ…に接触して下流側へ送られるため、該羽根３、３ａ…の光触媒面４、４ａ…による脱臭・殺菌等の浄化処理が成された後に下流側へ送られる。汚濁空気の流路に阻害要因がなく、スムーズに流通するため、送風ファン２への負担が全くない。而も、収容空間５内に送り込まれた空気の殆ど全てが光触媒面４、４ａ…に接触するため、無駄のない浄化処理が可能で、大空間内の空気の浄化処理を短時間で行うことが出来る。【選択図】        図１
2004187799.tif 000002
【特許請求の範囲】
【請求項１】
空気攪拌手段における羽根の表面に光触媒をコーティングすると共に、かかる光触媒面への光照射手段を空気攪拌手段の収容空間内に設けたことを特徴とする脱臭・殺菌装置。
【発明の詳細な説明】
【０００１】
【発明の属する技術分野】
本発明は、例えば扇風機、冷暖房器、空気清浄器などの機器における送風ファンの様な空気攪拌手段を利用した脱臭・殺菌装置に関する。
【０００２】
【従来の技術】
従来、有害物質、悪臭成分、菌類等を含んだ汚濁空気を浄化する方法としては、光触媒を反応器中に配置し、該反応器内に上記汚濁空気を導入すると共に、光触媒に光を照射して、上記汚濁空気中の有害物質、悪臭成分、菌類等を分解処理する用にしたものが見受けられる。これは、光を照射すると光励起して、伝導帯に電子を、価電子帯に正孔を生じ、この光励起により生じた電子の持つ強い還元力や正孔の持つ強い酸化力で、空気中の有害物質の除去・浄化、アンモニア、アルデヒド類、アミン類などの悪臭ガスの脱臭、細菌・放射菌・菌類の殺菌などが行える光触媒の性質を利用したものである（例えば、特許文献１参照）。
【０００３】
【特許文献１】
特公平２−９８５０号公報（特許請求の範囲、第２〜４頁、第２図）
【０００４】
【発明が解決しようとする課題】
しかし、上記汚濁空気浄化方法では、流路内に配置した、粉粒状、板状に形成した光触媒の間を汚濁空気を通過させねばならず、例えば、空調設備に利用した場合、室内の汚濁空気を導入し、反応器内を通過させて室内に吹き出させて、室内空気を攪拌する手段（例えば送風機）に非常に負担がかかり、反対に負荷がかからない様に光触媒の間を拡げてしまうと、導入された空気の大部分が光触媒に接触せず、脱臭、殺菌等の浄化処理されずに通過してしまうため、大空間内の汚濁空気を完全に浄化処理するのに長時間を要してしまうなど、解決せねばならない課題があった。
【０００５】
【課題を解決するための手段】
本発明は、上記従来技術に基づく、送風機などの汚濁空気導入手段に非常に負担がかかったり、大量の汚濁空気の浄化処理に長時間を要する課題に鑑み、空気攪拌手段における羽根の表面に光触媒をコーティングすると共に、かかる光触媒面への光照射光手段を空気攪拌手段の収容空間内に設け、上流側の汚濁空気の殆ど全てが空気攪拌手段の羽根に接触して下流側へ送られて、該羽根の光触媒面による脱臭・殺菌等の浄化処理が成された後に下流側へ送られることによって、汚濁空気の流路に阻害要因がなくスムーズに流通させて、空気攪拌手段への負担を全く無くす様にし、而も収容空間内に送り込まれた空気の殆ど全てが光触媒面に接触するため、無駄のない浄化処理が可能で、大空間内の空気の浄化処理を短時間で行うことを可能にして、上記課題を解決する。
【０００６】
【発明の実施の形態】
以下本発明の一実施例を図面に基づいて説明する。
本発明に係る脱臭・殺菌装置にあっては、汚濁した空気を吸い込んで脱臭・殺菌した後に下流側へ送ると共に吹き出させる必要のある、扇風機、冷暖房器、空気清浄器などの機器における流路１内に、空気を吸い込み吹き出して空気を攪拌する手段としての送風ファン２を配設し、該送風ファン２の複数枚の羽根３、３ａ…の汚濁空気との接触面を、酸化チタンの様な光触媒を全面コーティングした光触媒面４、４ａ…としている。又、送風ファン２の収容空間５の内部に、光触媒面４、４ａ…に光を照射する手段６、６ａ…を配設している。
具体的には、図１に示す断面図に示す様に、ケーシング７内を上記収容空間５とし、該収容空間５内に、プロペラ式の送風ファン２を配設し、ケーシング７の前後部を通気可能とし、送風ファン２の羽根３、３ａ…における汚濁空気との接触面である上流側の表面を光触媒面４、４ａ…とすると共に、収容空間５内における送風ファン２に対し上流側の部位に光照射手段６、６ａ…を配設している。そして、この脱臭・殺菌装置を流路１の最下流側に設置する様にしている。
【０００７】
図２は、他の実施例を示す断面図であり、送風ファン２における羽根３、３ａ…の表裏両面を光触媒面４、４ａ…とし、収容空間５内における送風ファン２に対し下流側の部位にも光照射手段６、６ａ…を配設している。
【０００８】
尚、上記実施例における送風ファン２の種別は軸流式で送風ファン２はプロペラファンであるが、かかる形態に限定せず、ディスクファンであても良い。
又、送風ファン２の種別を図３（ａ）に示す様な遠心式として、送風ファン２をターボファン、翼形ファン、プレートファン、多翼ファンなどとしたり、或いは部３（ｂ）に示す様な、主にルームエアコン等の送風手段として使用される形式で、横長円筒状にして横方向に長い羽根３、３ａ…を周設した送風ファン２を使用している。特に後者の場合、図示しないが、送風ファン２の中空内部に光照射手段６、６ａ…を、送風ファン２と共に回転しない様に配設しても良い。つまり、空気を収容空間５内に導入して浄化処理した後、処理空気を再度戻す機能を具備した、羽根３、３ａ…を有する手段の総称として、本実施例では送風ファン２としている。
【０００９】
光照射手段６、６ａ…にあっては、一般的な電灯機器、紫外線灯などとし、その形状は、主に球形状、細管形状であるが、かかる形状に何ら限定されない。
【００１０】
次に本発明に係る脱臭・殺菌装置の作用について説明する。
送風ファン２の回転により上流側より汚濁空気が送り込まれてくるが、上流側の汚濁空気の殆ど全てが送風ファン２の羽根３、３ａ…に接触して下流側へ送り出されるが、その過程において、羽根３、３ａ…の光触媒面４、４ａ…への接触により脱臭・殺菌等の浄化処理が行われているため、クリーンな浄化空気を送り出すことが可能になる。
よって、空調機機器、冷暖房機器、空気清浄器の様な、室内空気を攪拌して循環させる様な機器に利用するのが最適である。
【００１１】
【発明の効果】
要するに本発明は、空気攪拌手段における羽根３、３ａ…の表面に光触媒をコーティングすると共に、かかる光触媒面４、４ａ…への光照射光手段６、６ａ…を空気攪拌手段の収容空間５内に設けたので、扇風機における送風ファン又は冷暖房機器、空気清浄器などにおける内部送風ファンの羽根における少なくとも上流側の表面に光触媒面４、４ａ…を形成すると共に、少なくとも送風ファンの上流側、即ち、後部に光照射光手段６、６ａ…を設ければ、汚濁空気の流路に阻害要因がなく、室内の汚濁空気をスムーズに流通させクリーンな浄化空気に換えて室内に送り出すことが出来るため、空気攪拌手段に対する負荷が無くスムーズに脱臭・殺菌等の浄化処理を行うことが出来る。
而も、収容空間５内に送り込まれた空気の殆ど全てが光触媒面４、４ａ…に接触して浄化処理されることから、無駄のない浄化処理が可能になるため、大空間内の汚濁空気の浄化処理の短時間化を図ることが出来る等その実用的効果甚だ大である。
【図面の簡単な説明】
【図１】本発明に係る脱臭・殺菌装置の断面図である。
【図２】脱臭・殺菌装置の他の実施例の断面図である。
【図３】他の送風ファンを使用した脱臭・殺菌装置の概略断面図である。
【符号の説明】
３、３ａ…  羽根
４、４ａ…  光触媒面
５        収容空間
６、６ａ…  光照射光手段
【図１】
2004187799.tif 000003
【図２】
2004187799.tif 000004
【図３】
2004187799.tif 000005